(57)【特許請求の範囲】
【請求項１】
長手方向が水平方向に沿う状態で昇降され、人の通行を遮断する遮断部材と、
上方に開口部を有し、前記遮断部材の下降に伴い前記遮断部材の一部を前記開口部から受け入れる筐体と、
上昇して前記開口部から出ていた前記一部が前記開口部に収容されるときに前記遮断部材の一部と前記開口部との間の空間に対する人体の一部または物の侵入を規制する規制部材と
を備える昇降式ゲート装置。
【請求項２】
前記遮断部材が下降した状態のときに前記開口部の少なくとも一部を遮蔽する遮蔽部材を有する
請求項１に記載の昇降式ゲート装置。
【請求項３】
前記規制部材の少なくとも一部は、前記遮断部材の下降に伴い前記筐体に収容される
請求項１または２に記載の昇降式ゲート装置。
【請求項４】
前記規制部材は、前記遮断部材が下降した状態のときに前記筐体に少なくとも一部が収容され、前記遮断部材の上昇に伴い上昇して、前記規制部材が上昇した状態のときに前記空間に対する人体の一部または物の侵入を規制する板状の部材を有する
請求項３に記載の昇降式ゲート装置。
【請求項５】
前記規制部材は、前記遮断部材が下降した状態のときに前記筐体に少なくとも一部が収容され、前記遮断部材の上昇に伴い展開して、前記規制部材が上昇した状態のときに前記空間に対する人体の一部または物の侵入を規制するシート状の部材を有する
請求項３に記載の昇降式ゲート装置。
【請求項６】
前記規制部材は、前記遮断部材が下降した状態のときに前記筐体に少なくとも一部が収容され、前記遮断部材の上昇に伴い伸張して、前記規制部材が上昇した状態のときに前記空間に対する人体の一部または物の侵入を規制するシート状の伸縮性部材を有する
請求項３に記載の昇降式ゲート装置。
【発明の詳細な説明】
【技術分野】
【０００１】
本発明は、昇降式ゲート装置の構造に関する。
【背景技術】
【０００２】
鉄道の利用者のホームから線路への転落を防止するためのゲート装置の一タイプとして、利用者の通行を遮断する遮断部材としての役割を果たすロープ等を昇降させる昇降式ゲート装置がある。例えば特許文献１には、ホーム縁に沿って設けられた複数の支柱と、両端の支柱の間に架け渡された昇降自在なロープと、ロープを昇降させるロープ昇降駆動装置とを備えるホーム安全柵が記載されている。
【先行技術文献】
【特許文献】
【０００３】
【特許文献１】特開２０１４−１１１４１５号公報
【発明の概要】
【発明が解決しようとする課題】
【０００４】
昇降式ゲート装置の一タイプとして、ホームに固定配置された本体と、ロープ等の遮断部材が連結された状態で本体に対し昇降することで遮断部材を昇降させる昇降部とを備え、本体が下降した昇降部を収容するタイプ（以下、「収容型昇降式ゲート装置」という）がある。図１８〜図２１は従来技術にかかる収容型昇降式ゲート装置を備える昇降式ゲートシステム７の外観を示した図である。
【０００５】
図１８は駅に列車が到着しておらず、利用者がホーム８から線路へ転落しないように利用者の通行を遮断している状態（以下、「通行遮断状態」という）の昇降式ゲートシステム７の正面図（ホーム８から線路側に向かって見た図）である。図１９は駅に列車９が到着し、利用者のホーム８と列車９との間の通行（乗車および降車）を許可している状態（以下、「通行許可状態」という）の昇降式ゲートシステム７の正面図である。
【０００６】
昇降式ゲートシステム７は、例えばホーム８の列車９が停車する範囲の両端付近に各々配置された２つの端部昇降式ゲート装置７１Ｔと、これら２つの端部昇降式ゲート装置７１Ｔの間に概ね等間隔で配置された複数の中間部昇降式ゲート装置７１Ｍと、互いに隣り合う端部昇降式ゲート装置７１Ｔと中間部昇降式ゲート装置７１Ｍ、または互いに隣り合う２台の中間部昇降式ゲート装置７１Ｍの各々に関し、これらの昇降式ゲート装置の間を橋渡しするように取り付けられた５本のロープ７２を備える。これらの５本のロープ７２は、長手方向が水平方向に沿う状態で昇降され、通行遮断状態において互いに離間してホーム８と線路との間に防護柵を形成する。以下、これらの５本のロープ７２を互いに区別する場合、上から順にロープ７２−１、ロープ７２−２、・・・、ロープ７２−５という。なお、上下方向に配置されるロープ７２の数は５本に限られない。
【０００７】
端部昇降式ゲート装置７１Ｔには、ホーム８から見て右側または左側のいずれか一方にのみロープ７２が連結されている。中間部昇降式ゲート装置７１Ｍには、ホーム８から見て右側および左側の両方にロープ７２が連結されている。この相違点を除き、端部昇降式ゲート装置７１Ｔと中間部昇降式ゲート装置７１Ｍの構成および動作は同じである。従って、端部昇降式ゲート装置７１Ｔと中間部昇降式ゲート装置７１Ｍを昇降式ゲート装置７１と総称する。
【０００８】
昇降式ゲート装置７１はホーム８に固定配置された本体７１１と、本体７１１に対し昇降する昇降部７１２を備える。昇降部７１２の側面にはロープ７２の一端が連結され、昇降部７１２の昇降に伴いロープ７２が昇降される。
【０００９】
昇降部７１２は本体７１１から上昇する際、ロープ７２−２〜ロープ７２−５をロープ７２−１に近付けるように上方に移動させる。このロープ７２の移動により、通行許可状態において最下位置のロープ７２−５を通行人の通行の邪魔とならない高さまで上昇させるために昇降部７１２を上昇させなければならない高さが低くなる。
【００１０】
図２０は通行遮断状態の昇降式ゲート装置７１の右側面図であり、図２１は通行許可状態の昇降式ゲート装置７１の右側面図である。なお、昇降式ゲート装置７１の左側面図は図２０または図２１に示す右側面図と左右対称となる。
【００１１】
通行許可状態の昇降式ゲート装置７１において、図１９および図２１に領域Ｒで示される空間、すなわち昇降式ゲート装置７１の本体７１１（より詳しくは、ロープ７２の通過を許容するために本体７１１の筐体の上部に設けられた開口部７１１１）とロープ７２−５との間の空間に、通行人が身体の一部（指や腕等）や物を差し入れる場合がある。その状態で昇降式ゲート装置７１が通行遮断状態へと移行すると、ロープ７２−５が下降して、通行人の身体の一部や物がロープ７２−５と本体７１１との間に挟み込まれ、通行人の怪我、物の破損、昇降式ゲート装置７１の緊急停止等の不都合が招かれる。
【００１２】
本発明は、上記の背景に鑑み、本体と、ロープ等の遮断部材が連結された状態で本体に対し昇降することで遮断部材を昇降させる昇降部とを備え、本体の筐体が下降した昇降部を収容するタイプの昇降式ゲート装置において、本体の筐体と遮断部材との間に通行人の身体の一部や物が挟み込まれる危険性を低減することを目的とする。
【課題を解決するための手段】
【００１３】
上述した課題を解決するために、本発明は、長手方向が水平方向に沿う状態で昇降され、人の通行を遮断する遮断部材と、上方に開口部を有し、前記遮断部材の下降に伴い前記遮断部材の一部を前記開口部から受け入れる筐体と、上昇して前記開口部から出ていた前記一部が前記開口部に収容されるときに前記遮断部材の一部と前記開口部との間の空間に対する人体の一部または物の侵入を規制する規制部材とを備える昇降式ゲート装置を第１の態様として提供する。
【００１４】
第１の態様の昇降式ゲート装置によれば、規制部材により本体の筐体と遮断部材の間の空間に対する人体の一部や物の侵入が規制されるため、人体の一部や物が筐体と遮断部材の間に挟み込まれる危険性が低減される。
【００１５】
上記の第１の態様の昇降式ゲート装置において、前記遮断部材が下降した状態のときに前記開口部の少なくとも一部を遮蔽する遮蔽部材を有する、という構成が第２の態様として採用されてもよい。
【００１６】
第２の態様の昇降式ゲート装置によれば、下降した遮断部材を筐体が収容するための開口部が遮蔽部材により遮蔽されるため、開口部から筐体内に物が落下する危険性が低減される。
【００１７】
上記の第１または第２の態様の昇降式ゲート装置において、前記規制部材の少なくとも一部は、前記遮断部材の下降に伴い前記筐体に収容される、という構成が第３の態様として採用されてもよい。
【００１８】
第３の態様の昇降式ゲート装置によれば、遮断部材が下降している状態において、規制部材が通行人等の視界を遮る等の不都合が低減される。
【００１９】
上記の第３の態様の昇降式ゲート装置において、前記規制部材は、前記遮断部材が下降した状態のときに前記筐体に少なくとも一部が収容され、前記遮断部材の上昇に伴い上昇して、前記規制部材が上昇した状態のときに前記空間に対する人体の一部または物の侵入を規制する板状の部材を有する、という構成が第４の態様として採用されてもよい。
【００２０】
第４の態様の昇降式ゲート装置によれば、板状の部材が遮断部材の昇降に伴い昇降されて、筐体と遮断部材の間の空間に対する人体の一部や物の侵入を規制する。
【００２１】
上記の第３の態様の昇降式ゲート装置において、前記規制部材は、前記遮断部材が下降した状態のときに前記筐体に少なくとも一部が収容され、前記遮断部材の上昇に伴い展開して、前記規制部材が上昇した状態のときに前記空間に対する人体の一部または物の侵入を規制するシート状の部材を有する、という構成が第５の態様として採用されてもよい。
【００２２】
第５の態様の昇降式ゲート装置によれば、シート状の部材が遮断部材の昇降に伴い展開して、筐体と遮断部材の間の空間に対する人体の一部や物の侵入を規制する。
【００２３】
上記の第３の態様の昇降式ゲート装置において、
前記規制部材は、前記遮断部材が下降した状態のときに前記筐体に少なくとも一部が収容され、前記遮断部材の上昇に伴い伸張して、前記規制部材が上昇した状態のときに前記空間に対する人体の一部または物の侵入を規制するシート状の伸縮性部材を有する、という構成が第６の態様として採用されてもよい。
【００２４】
第６の態様の昇降式ゲート装置によれば、シート状の伸縮性部材が遮断部材の昇降に伴い伸張して、筐体と遮断部材の間の空間に対する人体の一部や物の侵入を規制する。
【図面の簡単な説明】
【００２５】
【図１】第１実施形態にかかる通行遮断状態の昇降式ゲートシステムの正面図。
【図２】第１実施形態にかかる通行許可状態の昇降式ゲートシステムの正面図。
【図３】第１実施形態にかかる通行遮断状態の昇降式ゲート装置の側面図。
【図４】第１実施形態にかかる通行遮断状態の昇降式ゲート装置の側面図。
【図５】第２実施形態にかかる通行遮断状態の昇降式ゲートシステムの正面図。
【図６】第２実施形態にかかる通行許可状態の昇降式ゲートシステムの正面図。
【図７】第２実施形態にかかる通行遮断状態の昇降式ゲート装置の側面図。
【図８】第２実施形態にかかる通行許可状態の昇降式ゲート装置の側面図。
【図９】第３実施形態にかかる通行遮断状態の昇降式ゲートシステムの正面図。
【図１０】第３実施形態にかかる通行許可状態の昇降式ゲートシステムの正面図。
【図１１】第３実施形態にかかる通行遮断状態の昇降式ゲート装置の側面図。
【図１２】第３実施形態にかかる通行許可状態の昇降式ゲート装置の側面図。
【図１３】第４実施形態にかかる通行遮断状態の昇降式ゲートシステムの正面図。
【図１４】第４実施形態にかかる通行許可状態の昇降式ゲートシステムの正面図。
【図１５】第４実施形態にかかる通行遮断状態の昇降式ゲート装置の側面図。
【図１６】第４実施形態にかかる通行遮断状態と通行許可状態の間を状態の昇降式ゲート装置の側面図。
【図１７】第４実施形態にかかる通行許可状態の昇降式ゲート装置の側面図。
【図１８】従来技術にかかる通行遮断状態の昇降式ゲートシステムの正面図。
【図１９】従来技術にかかる通行許可状態の昇降式ゲートシステムの正面図。
【図２０】従来技術にかかる通行遮断状態の昇降式ゲート装置の側面図。
【図２１】従来技術にかかる通行許可状態の昇降式ゲート装置の側面図。
【発明を実施するための形態】
【００２６】
［第１実施形態］
以下に本発明の一実施形態（以下、「第１実施形態」という）にかかる昇降式ゲートシステム１を説明する。以下、昇降式ゲートシステム１の構成や動作のうち、上述した従来技術にかかる昇降式ゲートシステム７と共通する部分は説明を省略する。また、昇降式ゲートシステム１が備える構成部のうち、昇降式ゲートシステム７が備える構成部に対応するものには、昇降式ゲートシステム７において用いた符号の先頭の「７」を「１」に置き換えた符号を用いる。
【００２７】
図１は通行遮断状態の昇降式ゲートシステム１の正面図であり、図２は通行許可状態の昇降式ゲートシステム１の正面図である。昇降式ゲートシステム１は端部昇降式ゲート装置１１Ｔ、中間部昇降式ゲート装置１１Ｍ、およびロープ１２を備える。以下、端部昇降式ゲート装置１１Ｔと中間部昇降式ゲート装置１１Ｍを昇降式ゲート装置１１と総称する。
【００２８】
昇降式ゲート装置１１は本体１１１と昇降部１１２を備える。また、昇降式ゲート装置１１は、通行遮断状態において本体１１１の筐体の上面に設けられた開口部１１１１を遮蔽する遮蔽板１１３と、通行許可状態において開口部１１１１の上方の空間に対する通行人による物や腕等の差し入れを規制する規制板１１４を備える。
【００２９】
図３は通行遮断状態の昇降式ゲート装置１１の側面図であり、図４は通行許可状態の昇降式ゲート装置１１の側面図である。昇降部１１２の上面は、通行遮断状態において通行人がその上に物を置かないように、山形の形状をしている。遮蔽板１１３は昇降部１１２の上面と同じように山形の形状をした板状の部材であり、ホーム８側の端辺が蝶番により本体１１１の筐体の上面に取り付けられている。遮蔽板１１３は例えばバネにより、図３に示す矢印の方向に付勢されている。
【００３０】
規制板１１４は通行遮断状態において本体１１１の筐体に収容されている。規制板１１４の上側の端辺にはフック１１４１が設けられている。また、昇降部１１２の上下方向の中腹にはフック１１２１が設けられている。昇降部１１２が本体１１１から上昇する途中で、規制板１１４のフック１１４１が昇降部１１２のフック１１２１に引っ掛けられる。その後、規制板１１４は昇降部１１２の上昇に伴い引き上げられ、図４に示すように、開口部１１１１とロープ１２の間の空間をホーム８側の空間から仕切る位置まで移動される。このように、規制板１１４によって開口部１１１１の上方の空間がホーム８側の空間から仕切られるため、通行人がうっかり物や腕等を本体１１１とロープ１２の間に入れてしまうことがない。
【００３１】
昇降部１１２が本体１１１から上昇する際、遮蔽板１１３は規制板１１４の上面により押し上げられる。その結果、通行許可状態において、遮蔽板１１３は規制板１１４の前面（ホーム８側の面）に押し付けられた状態で維持される。
【００３２】
昇降部１１２が下降する際、規制板１１４は自重により昇降部１１２と共に下降し、本体１１１の筐体内に収容される。また、規制板１１４の本体１１１の筐体内への移動に伴い、バネ等の付勢により遮蔽板１１３が蝶番の軸周りに回動し、開口部１１１１の上を塞ぐ。なお、昇降部１１２の下降の途中で規制板１１４の底面が本体１１１の筐体の底面等に達すると、規制板１１４のフック１１４１が昇降部１１２のフック１１２１から外れる。
【００３３】
上記のように、昇降式ゲートシステム１によれば、通行許可状態のとき、本体１１１の開口部１１１１とロープ１２との間の空間が規制板１１４によりホーム８側の空間から仕切られるため、通行人がうっかり物や腕等を本体１１１とロープ１２の間に入れてしまうことがない。その結果、物や通行人の身体の一部が本体１１１とロープ１２の間に挟まれてしまう危険性が低減される。
【００３４】
また、昇降式ゲートシステム１によれば、通行遮断状態において本体１１１の上方の開口部１１１１が遮蔽板１１３により遮蔽されるため、本体１１１の筐体内へ物が落下する危険性が低減される。
【００３５】
［第２実施形態］
以下に本発明の他の一実施形態（以下、「第２実施形態」という）にかかる昇降式ゲートシステム２を説明する。以下、昇降式ゲートシステム２の構成や動作のうち、上述した従来技術にかかる昇降式ゲートシステム７と共通する部分は説明を省略する。また、昇降式ゲートシステム２が備える構成部のうち、昇降式ゲートシステム７が備える構成部に対応するものには、昇降式ゲートシステム７において用いた符号の先頭の「７」を「２」に置き換えた符号を用いる。
【００３６】
図５は通行遮断状態の昇降式ゲートシステム２の正面図であり、図６は通行許可状態の昇降式ゲートシステム２の正面図である。昇降式ゲートシステム２は端部昇降式ゲート装置２１Ｔ、中間部昇降式ゲート装置２１Ｍ、およびロープ２２を備える。以下、端部昇降式ゲート装置２１Ｔと中間部昇降式ゲート装置２１Ｍを昇降式ゲート装置２１と総称する。
【００３７】
昇降式ゲート装置２１は本体２１１と昇降部２１２を備える。また、昇降式ゲート装置２１は、第１実施形態にかかる昇降式ゲート装置１１の遮蔽板１１３と同じ構成の遮蔽板２１３を備える。すなわち、遮蔽板２１３は通行遮断状態において本体２１１の筐体の上面に設けられた開口部２１１１を遮蔽する。また、昇降式ゲート装置２１は、第１実施形態にかかる昇降式ゲート装置１１の規制板１１４に代えて、ロールスクリーン２１４を備える。
【００３８】
図７は通行遮断状態の昇降式ゲート装置２１の側面図であり、図８は通行許可状態の昇降式ゲート装置２１の側面図である。
【００３９】
ロールスクリーン２１４はシート状の部材であるスクリーン２１４２と、スクリーン２１４２を巻き取る巻き取り部２１４３を備える。スクリーン２１４２の一方の端辺（巻き取り部２１４３に連結されていない側の端辺）にはフック２１４１が設けられている。また、昇降部２１２にはフック２１２１が設けられている。昇降部２１２が本体２１１から上昇する途中で、ロールスクリーン２１４のフック２１４１が昇降部２１２のフック２１２１に引っ掛けられる。その後、スクリーン２１４２は昇降部２１２の上昇に伴い巻き取り部２１４３から繰り出されながら展開する。その結果、図８に示すように、通行許可状態において開口部２１１１とロープ２２の間の空間がスクリーン２１４２によってホーム８側の空間から仕切られる。
【００４０】
昇降部２１２の下降に伴いスクリーン２１４２は巻き取り部２１４３に巻き取られる。その結果、図７に示すように、通行遮断状態においてスクリーン２１４２は本体２１１の筐体内に収容され、開口部２１１１は遮蔽板２１３により遮蔽される。
【００４１】
なお、巻き取り部２１４３が昇降部２１２の上昇に伴いスクリーン２１４２を繰り出し、昇降部２１２の下降に伴いスクリーン２１４２を巻き取る機構は、例えば特段の制御を伴わないバネ等により実現されてもよいし、昇降部２１２の昇降と連動して制御されるモータ等により実現されてもよい。
【００４２】
上記のように、昇降式ゲートシステム２によれば、通行許可状態のとき、本体２１１の開口部２１１１とロープ２２との間の空間がスクリーン２１４２（シート状の規制部材の一例）によりホーム８側の空間から仕切られるため、通行人がうっかり物や腕等を本体２１１とロープ２２の間に入れてしまうことがない。その結果、物や通行人の身体の一部が本体２１１とロープ２２の間に挟まれてしまう危険性が低減される。
【００４３】
［第３実施形態］
以下に本発明の他の一実施形態（以下、「第３実施形態」という）にかかる昇降式ゲートシステム３を説明する。以下、昇降式ゲートシステム３の構成や動作のうち、上述した従来技術にかかる昇降式ゲートシステム７と共通する部分は説明を省略する。また、昇降式ゲートシステム３が備える構成部のうち、昇降式ゲートシステム７が備える構成部に対応するものには、昇降式ゲートシステム７において用いた符号の先頭の「７」を「３」に置き換えた符号を用いる。
【００４４】
図９は通行遮断状態の昇降式ゲートシステム３の正面図であり、図１０は通行許可状態の昇降式ゲートシステム３の正面図である。昇降式ゲートシステム３は端部昇降式ゲート装置３１Ｔ、中間部昇降式ゲート装置３１Ｍ、およびロープ３２を備える。以下、端部昇降式ゲート装置３１Ｔと中間部昇降式ゲート装置３１Ｍを昇降式ゲート装置３１と総称する。
【００４５】
昇降式ゲート装置３１は本体３１１と昇降部３１２を備える。また、昇降式ゲート装置３１は、第１実施形態にかかる昇降式ゲート装置１１の遮蔽板１１３と同じ構成の遮蔽板３１３を備える。すなわち、遮蔽板３１３は通行遮断状態において本体３１１の筐体の上面に設けられた開口部３１１１を遮蔽する。また、昇降式ゲート装置３１は、第２実施形態にかかる昇降式ゲート装置２１のロールスクリーン２１４に代えて、蛇腹スクリーン３１４を備える。蛇腹スクリーン３１４は蛇腹状となるように、山と谷が交互に異なる方向となる水平方向の折り目が付けられたシート状の部材である。
【００４６】
図１１は通行遮断状態の昇降式ゲート装置３１の側面図であり、図１２は通行許可状態の昇降式ゲート装置３１の側面図である。
【００４７】
蛇腹スクリーン３１４の下側の端辺は本体３１１の上面に連結されている。蛇腹スクリーン３１４の上側の端辺にはフック３１４１が設けられている。また、昇降部３１２にはフック３１２１が設けられている。昇降部３１２が本体３１１から上昇する途中で、蛇腹スクリーン３１４のフック３１４１が昇降部３１２のフック３１２１に引っ掛けられる。その後、蛇腹スクリーン３１４は昇降部３１２の上昇に伴い順次展開する。その結果、図１２に示すように、通行許可状態において開口部３１１１とロープ３２の間の空間が蛇腹スクリーン３１４によってホーム８側の空間から仕切られる。
【００４８】
昇降部３１２の下降に伴い開口部３１１１は折り目に従い折れ曲がりながら自重により畳まれていく。その結果、図１１に示すように、通行遮断状態において蛇腹スクリーン３１４は畳まれた状態となる。また、通行遮断状態において開口部３１１１は遮蔽板３１３により遮蔽される。
【００４９】
上記のように、昇降式ゲートシステム３によれば、通行許可状態のとき、本体３１１の開口部３１１１とロープ３２との間の空間が蛇腹スクリーン３１４（シート状の規制部材の一例）によりホーム８側の空間から仕切られるため、通行人がうっかり物や腕等を本体３１１とロープ３２の間に入れてしまうことがない。その結果、物や通行人の身体の一部が本体３１１とロープ３２の間に挟まれてしまう危険性が低減される。
【００５０】
［第４実施形態］
以下に本発明の他の一実施形態（以下、「第４実施形態」という）にかかる昇降式ゲートシステム４を説明する。以下、昇降式ゲートシステム４の構成や動作のうち、上述した従来技術にかかる昇降式ゲートシステム７と共通する部分は説明を省略する。また、昇降式ゲートシステム４が備える構成部のうち、昇降式ゲートシステム７が備える構成部に対応するものには、昇降式ゲートシステム７において用いた符号の先頭の「７」を「４」に置き換えた符号を用いる。
【００５１】
図１３は通行遮断状態の昇降式ゲートシステム４の正面図であり、図１４は通行許可状態の昇降式ゲートシステム４の正面図である。昇降式ゲートシステム４は端部昇降式ゲート装置４１Ｔ、中間部昇降式ゲート装置４１Ｍ、およびロープ４２を備える。以下、端部昇降式ゲート装置４１Ｔと中間部昇降式ゲート装置４１Ｍを昇降式ゲート装置４１と総称する。
【００５２】
昇降式ゲート装置４１は本体４１１と昇降部４１２を備える。また、昇降式ゲート装置４１は、第１実施形態にかかる昇降式ゲート装置１１の遮蔽板１１３と同じ構成の遮蔽板４１３を備える。すなわち、遮蔽板４１３は通行遮断状態において本体４１１の筐体の上面に設けられた開口部４１１１を遮蔽する。また、昇降式ゲート装置４１は、第２実施形態にかかる昇降式ゲート装置２１のロールスクリーン２１４に代えて、伸縮スクリーン４１４を備える。伸縮スクリーン４１４は、例えばゴム等の弾性素材をシート状に成形した部材である。なお、伸縮スクリーン４１４は高い伸縮性を有するシート状の部材であればその素材はゴム等の弾性体に限られず、例えば金属ワイヤーをメッシュ状に編んだもの等が伸縮スクリーン４１４として採用されてもよい。
【００５３】
図１５は通行遮断状態の昇降式ゲート装置４１の側面図であり、図１６は通行遮断状態と通行許可状態の間を状態の昇降式ゲート装置４１の側面図であり、図１７は通行許可状態の昇降式ゲート装置４１の側面図である。
【００５４】
伸縮スクリーン４１４は５本のロープ４２のうち最上位置のロープ４２−１の上を覆うように配置され、一方の端辺は本体４１１の上面に連結され、他方の端辺は５本のロープ４２のうち最下位置のロープ４２−５に連結されている。なお、ロープ４２は伸縮スクリーン４１４の伸縮を妨げないように、回転自在に昇降部４１２に連結されている。
【００５５】
昇降部４１２が本体４１１から上昇して通行許可状態になると、伸縮スクリーン４１４は図１７に示すように本体４１１の上面から最上位置のロープ４２−１の上を通ってロープ４２−５に至るように伸張する。その結果、開口部４１１１とロープ４２の間の空間が伸縮スクリーン４１４によってホーム８側の空間から仕切られる。
【００５６】
昇降部４１２が下降して本体４１１に収容されて通行遮断状態になると、伸縮スクリーン４１４は収縮して図１５に示すように本体４１１に収容される。また、通行遮断状態において開口部４１１１は遮蔽板４１３により遮蔽される。
【００５７】
上記のように、昇降式ゲートシステム４によれば、通行許可状態のとき、本体４１１の開口部４１１１とロープ４２との間の空間が伸縮スクリーン４１４（シート状の伸縮性の規制部材の一例）によりホーム８側の空間から仕切られるため、通行人がうっかり物や腕等を本体４１１とロープ４２の間に入れてしまうことがない。その結果、物や通行人の身体の一部が本体４１１とロープ４２の間に挟まれてしまう危険性が低減される。
【符号の説明】
【００５８】
１…昇降式ゲートシステム、２…昇降式ゲートシステム、３…昇降式ゲートシステム、４…昇降式ゲートシステム、７…昇降式ゲートシステム、８…ホーム、９…列車、１１…昇降式ゲート装置、１２…ロープ、２１…昇降式ゲート装置、２２…ロープ、３１…昇降式ゲート装置、３２…ロープ、４１…昇降式ゲート装置、４２…ロープ、７１…昇降式ゲート装置、７２…ロープ、１１１…本体、１１２…昇降部、１１３…遮蔽板、１１４…規制板、２１１…本体、２１２…昇降部、２１３…遮蔽板、２１４…ロールスクリーン、３１１…本体、３１２…昇降部、３１３…遮蔽板、３１４…蛇腹スクリーン、４１１…本体、４１２…昇降部、４１３…遮蔽板、４１４…伸縮スクリーン、７１１…本体、７１２…昇降部、１１１１…開口部、１１２１…フック、１１４１…フック、２１１１…開口部、２１２１…フック、２１４１…フック、２１４２…スクリーン、２１４３…巻き取り部、３１１１…開口部、３１２１…フック、３１４１…フック、４１１１…開口部、７１１１…開口部
【図１】
0006539480.tif 000002
【図２】
0006539480.tif 000003
【図３】
0006539480.tif 000004
【図４】
0006539480.tif 000005
【図５】
0006539480.tif 000006
【図６】
0006539480.tif 000007
【図７】
0006539480.tif 000008
【図８】
0006539480.tif 000009
【図９】
0006539480.tif 000010
【図１０】
0006539480.tif 000011
【図１１】
0006539480.tif 000012
【図１２】
0006539480.tif 000013
【図１３】
0006539480.tif 000014
【図１４】
0006539480.tif 000015
【図１５】
0006539480.tif 000016
【図１６】
0006539480.tif 000017
【図１７】
0006539480.tif 000018
【図１８】
0006539480.tif 000019
【図１９】
0006539480.tif 000020
【図２０】
0006539480.tif 000021
【図２１】
0006539480.tif 000022